(57)【要約】【課題】排泄物を衛生的に受け止め、使い捨ての汚物処理シートを容易に装着できる幼児用便器を提供する。【解決手段】幼児用便器１１は、中央開口Ｓを有し、幼児の臀部を支持可能な便座部２１、および便座部の内側縁から中央開口Ｓの外周に沿って垂下する内側壁部２２を有する便座本体１３と、底壁部１４ａ、底壁部の外周から立ち上がり上縁が共通する仮想平面に略一致するよう形成されて便座本体の内側壁部２２の内側に挿し込まれる周壁部１４ｂ、および周壁部の上縁よりも下方の周壁部外周面から外方へ突出する持ち手２４を有し、中央開口Ｓを通過する幼児の排泄物を受け入れる中桶１４とを備える。【選択図】図８
2013009720.tif 000002
【特許請求の範囲】
【請求項１】
中央に開口を有し幼児の臀部を支持可能な便座部、および前記便座部の内側縁から前記中央開口の外周に沿って垂下する内側壁部を有する便座本体と、
底壁部、前記底壁部の外周から立ち上がり上縁が共通する仮想平面に略一致するよう形成されて前記便座本体の内側壁部の内側に挿し込まれる周壁部、および前記周壁部の上縁よりも下方の周壁部外周面から外方へ突出する持ち手を有し、前記中央開口を通過する幼児の排泄物を受け入れる中桶とを備える、幼児用便器。
【請求項２】
前記便座本体は大人用洋式便器の便座の上に載置可能である、請求項１に記載の幼児用便器。
【請求項３】
前記中桶を下方から支持する底壁部と、前記底壁部から立ち上がり前記中桶を包囲する内周壁部と、前記内周壁部の上縁近傍に設けられて前記便座本体を下方から支持する便座本体支持部とを有する便器本体をさらに備える、請求項１または２に記載の幼児用便器。
【請求項４】
前記中桶の周壁部と便座本体の内側壁部との間に取り付けられて前記便座本体の便座部よりも上方へ突出する金隠しをさらに備える、請求項１〜３のいずれかに記載の幼児用便器。
【請求項５】
前記金隠しは、下側部分が前記中桶の周壁部の外周面に着脱可能に取り付けられ、上側部分が前記中桶の周壁部の上縁よりも上方へ突出する、請求項４に記載の幼児用便器。
【請求項６】
上部開口と底部を有する袋体であり、前記開口部が折り返されて、前記中桶の周壁部の上縁と前記便座本体の内側壁部の間に挟み込まれ、前記上部開口よりも底部側が前記中桶の周壁部の内周面および底壁部の上面を覆う汚物処理シートをさらに備える、請求項１〜５のいずれかに記載の幼児用便器。
【発明の詳細な説明】
【技術分野】
【０００１】
本発明は、幼児の体格に適合する幼児用便器および幼児用便座本体に関する。
【背景技術】
【０００２】
便座と、便座の中央開口に取り付けられる中桶（容器、ポットともいう）を備えた幼児用便器としては従来多数知られている。例えば、特表２００８−５２３９２８号公報（特許文献１）に記載されるおまるは、おまる便座の底面のすぐ下に便受ポットを配置するものである。特開２０００−３１４１７１号公報（特許文献２）に記載される簡易便器は、便器本体と、便器本体の内部へ水平方向に前進して挿し込まれる内容器とを備える。内容器の前方には飛散防止のため突出部が一体形成されている。そして幼児が突出部と向きあって便器本体にまたがって座り排便および排尿する。
【０００３】
実公昭６０−３６１６０号公報（特許文献３）に記載される幼児用便器は、便座の内周部にポットを着脱自在に嵌め込んでいる。そしてポットには持ち手および持ち手の根元部から立ち上がる突出部が一体形成されている。特開平１１−２２２９０４号公報（特許文献４）に記載される子供用便器は、内部に中空部を有する支え台と、中央に子供の排泄物が通過する大きい孔が形成されて支え台の上縁に取り付けられる便座（座台）と、便座（座台）の内周縁と係合して支え台に収納されて子供の排泄物を受け止める容器と、容器の前部に上からスライディング結合される小便遮断片を備える。
【０００４】
実開昭６２−１４５５９８号公報（特許文献５）に記載される乳幼児用おまるは、前方にアヒルの頭部に模して形成されたハンドルを有する便座体と、便座体に落とし込み方式で着脱自在に取り付けられる中桶とを備える。特開２０１０−２６４１０９号公報（特許文献６）に記載されるポータブルトイレは、ポータブルトイレ本体と、ポータブルトイレ本体の中央凹部に取り付けられるポータブルトイレ容器と、ポータブルトイレ容器の中に取り付けられる使い捨ての排便シートと、ポータブルトイレ本体の上縁に載置されて、排便シートの周縁部を挟み込む便座とを備える。
【先行技術文献】
【特許文献】
【０００５】
【特許文献１】特表２００８−５２３９２８号公報
【特許文献２】特開２０００−３１４１７１号公報
【特許文献３】実公昭６０−３６１６０号公報
【特許文献４】特開平１１−２２２９０４号公報
【特許文献５】実開昭６２−１４５５９８号公報
【特許文献６】特開２０１０−２６４１０９号公報
【発明の概要】
【発明が解決しようとする課題】
【０００６】
しかし、上記従来のような幼児用便器にあっては、以下に説明するような問題を生ずる。つまり、特許文献１のおまるは、便座の開口よりも大きな便受ポットが便座の下に単に置かれているにすぎず便座と嵌合しないため、便座の開口が排泄物で汚れてしまい、衛生面で改善の余地がある。特許文献２の簡易便器は、内容器に形成された凹部が取っ手として機能するところ、この取っ手は内容器を手前にスライドさせて便器本体から外すためのものであって、この取っ手を掴んで内容器を運搬することはできない。また内容器が和式便器の如き形状で横置きにされ、内容器の前部が便座よりも前方に突出して大きく広がることから、容器内部のうち排泄物によって汚れる面積が大きすぎて洗浄が面倒である。さらに内容器の前部に突出部が一体形成されているため、内容器の内周面に使い捨ての汚物シートを好適に被せることができず、排泄物がこびりついた内容器の洗浄が面倒である。
【０００７】
特許文献３の幼児用便器は、幼児の股がポットの前端部に当たってしまう。また便座の上方からポットを挿し込み、ポットの上縁を便座の内側縁に係合させるため、ポットの上縁が便座の内側縁よりも外側に大きく広がる形状にされ、ポットの上縁が便座の上面で段差を形成してしまう。したがって、幼児にとって座り心地が悪い。さらにポットの前部に突出部が一体形成されているため、ポットの内周面に使い捨ての汚物シートを被せることができず、排泄物がこびりついたポットの洗浄が面倒である。
【０００８】
特許文献４の子供用便器は、子供の排泄物を受け止める容器に持ち手が形成されていないため、便座（座台）および支え台から容器を取り出す作業が不便である。また便座の上方から容器を挿し込むため、容器の上縁が便座の上面で段差を形成してしまう。したがって、幼児にとって座り心地が悪い。
【０００９】
特許文献５の乳幼児用おまるは、便座の上方から中桶を落とし込む方式であるため中桶に持ち手がなく、便座体から中桶を取り出す作業が不便である。特許文献６のポータブルトイレは、ポータブルトイレ容器に持ち手がないため、ポータブルトイレ本体からポータブルトイレ容器を取り出す作業が不便である。このように従来の幼児用便器は、いくつかの点で改善の余地があった。
【００１０】
本発明は、上述の実情に鑑み、幼児の排泄物を衛生的に受け止め、便座が汚れ難く、さらに便座の座り心地が良く、中桶の汚れる面積を小さくして中桶を効率的に洗浄することができ、しかも袋状の使い捨てシートを中桶の内側面に容易に装着することが可能で、便座から中桶（容器、ポット）を容易に取り出して運搬することができる、幼児用便器を提供することを目的とする。
【課題を解決するための手段】
【００１１】
この目的のため本発明による幼児用便器は、中央に開口を有し幼児の臀部を支持可能な便座部、および便座部の内側縁から中央開口の外周に沿って垂下する内側壁部を有する便座本体と、底壁部、底壁部の外周から立ち上がり上縁が共通する仮想平面に略一致するよう形成されて便座本体の内側壁部の内側に挿し込まれる周壁部、および周壁部の上縁よりも下方の周壁部外周面から外方へ突出する持ち手を有し、中央開口を通過する幼児の排泄物を受け入れる中桶とを備える。
【００１２】
かかる本発明によれば、上縁が共通する仮想平面に略一致するよう形成されて便座本体の内側壁部の内側に挿し込まれる周壁部を有する中桶を備えることから、便座本体の内側壁部が排泄物で汚れることがなく、便座本体の中央開口を通過して落下する幼児の排泄物を衛生的に受け止めることができる。そして便座部に段差が生じず座り心地が良い。また中桶を便座本体よりも小さくすることができ、中桶内部のうち排泄物で汚れる面積が小さくなって中桶の洗浄が軽減される。さらに袋状の使い捨てシートの上縁を折り返し、この折り返し部を中桶の内側壁部の上縁に係止させ、中桶の内側面を使い捨てシートによって全て覆うことができる。しかも下方へ垂下する内側壁部の内側に、上方へ立ち上がる周壁部の上縁が挿し込まれることから、シートの折り返し部がめくれ上がることがない。また便座本体を持ち上げて持ち手を握れば中桶を容易に取り出し運搬することができる。
【００１３】
便座本体は幼児用便器のみに用いられるものであってもよいが、好ましい実施形態として便座本体は大人用洋式便器の便座の上に載置可能である。かかる実施形態によれば便座本体が単独で大人用洋式便器の上に載置して使用することができ、幼児用便座本体として利用できる。
【００１４】
１実施形態として中桶には脚部等の転倒防止用の部材が取り付けられ、便座本体は中桶に支持されるものであってもよい。好ましい実施形態として中桶を下方から支持する底壁部と、底壁部から立ち上がり中桶を包囲する内周壁部と、内周壁部の上縁近傍に設けられて便座本体を下方から支持する便座本体支持部とを有する便器本体をさらに備える。かかる実施形態によれば便器本体が便座本体を介して幼児を支持することができる。便器本体は少なくとも便座本体を支持するものであればよく、その形状は特に問わない。例えば便器本体は複数本のフレームで構成される枠体であってもよいし、あるいは丸みを帯びた形状であって中桶を内部に収納する外桶であってもよい。
【００１５】
本発明は、金隠しや前立てと称し幼児の排尿時に小便の飛散を防止する壁部材を備えなくてもよいが、中桶の周壁部と便座本体の内側壁部との間に配置されて便座本体の便座部よりも上方へ突出する金隠しをさらに備えてもよい。かかる実施形態によれば、便座部よりも上方へ突出する金隠しによって幼児の小便が便座部の前方へ飛び散ることを防止することができる。
【００１６】
金隠しは便座本体の内側壁部に固定されてもよく、あるいは中桶の周壁部の外周面に固定されてもよい。好ましくは、金隠しは、下側部分が中桶の周壁部の外周面に着脱可能に取り付けられ、上側部分が中桶の周壁部の上縁よりも上方へ突出する。かかる実施形態によれば、金隠しの下側部分周壁部の外周面に取り付けられることから、金隠しの下側部分が排泄物で汚れることがなく、金隠しの下側部分を衛生的に保つことができる。また金隠しを中桶から取り外し中桶のみあるいは金隠しのみを効率的に洗浄、掃除することができる。
【００１７】
中桶は幼児の排泄物を直接受け入れることができるが、直接受け入れることがないよう中桶の内側面の少なくとも一部を使い捨てのシートで覆ってもよい。これにより中桶に排泄物がこびりつくことを防止できる。好ましくは、開口部と底部を有する袋体であり、開口部が折り返されて、中桶の周壁部の上縁と便座本体の内側壁部の間に挟み込まれ、中桶の周壁部の内周面および底壁部の上面を覆う汚物処理シートをさらに備える。かかる実施形態によれば、汚物処理シートが中桶の内側面の全部を覆い、しかも汚物処理シートが中桶と便座本体の間に挟み込まれることから、汚物処理シートがめくれないよう中桶に装着される。したがって、中桶に排泄物がこびりつくことを確実に防止できる。汚物処理シートはビニールなど遮水性の素材で形成されてもよいし、紙など水溶性の素材で形成されてもよい。
【発明の効果】
【００１８】
このように本発明は、便座本体の中央開口を通過して落下する幼児の排泄物を衛生的に受け止めることができる。さらに便座部の上面に段差が生じず、座り心地がよい。また、便座本体を取り外して中桶を容易に取り出すことができる。また、中桶の汚れる面積を小さくして中桶を効率的に洗浄することができる。しかも袋状の使い捨てシートを中桶の内側面に容易に装着することができる。さらに、便座本体から中桶を分離して取り出し容易かつ衛生的に運搬することができる。
【図面の簡単な説明】
【００１９】
【図１】本発明の一実施例になる幼児用便器を示す平面図である。
【図２】同実施例の幼児用便器を示す側面図である。
【図３】図１のIII−IIIで切断し矢印の方向からみた状態を示す縦断面図である。
【図４】同実施例の幼児用便器を示す背面図である。
【図５】同実施例の組立途中の状態を示す断面図である。
【図６】同実施例の組立途中の状態を示す断面図である。
【図７】同実施例の組立途中の状態を示す断面図である。
【図８】同実施例に汚物処理シートを装着した組立完成状態を示す断面図である。
【図９】汚物処理シートを示す斜視図である。
【図１０】汚物処理シートの上縁を折り返した状態を示す斜視図である。
【図１１】同実施例の便座本体、中桶、および金隠しを取り出して示す側面図である。
【発明を実施するための形態】
【００２０】
以下、本発明の実施の形態を、図面に示す実施例に基づき詳細に説明する。
【００２１】
図１は本発明の一実施例になる幼児用便器を示す平面図であり、図２は同実施例の幼児用便器を示す側面図であり、図３は図１のIII−IIIで切断し矢印の方向からみた状態を示す縦断面図であり、図４は同実施例の幼児用便器を示す背面図である。おまるとも称される本実施例の幼児用便器１１は、便器本体１２と、便器本体１２の上部に取り付けられる便座本体１３と、便器本体１２の内部に収納される中桶１４と、中桶１４の前部に取り付けられた金隠し１５とを備える。これらの便器本体１２、便座本体１３、中桶１４、および金隠し１５は、ポリプロピレン・ＡＢＳ樹脂等のプラスチィック製部材からなり、幼児用便器１１は、これらの組み立て体である。
【００２２】
便器本体１２は、外周面が丸みを帯びた外桶であって外側および内側に壁を有する二重構造である。内側の壁は凹部を構成する。すなわち、便器本体１２は、その中央部に底壁部２５ｂと、底壁部２５ｂから立ち上がる内周壁部２５と、内周壁部２５の上縁近傍に設けられる便座本体支持部である段差２８を有する。内周壁部２５は下向きに窪んだ凹部の側壁となり、底壁部２５ｂはこの凹部の底壁となる。また凹部が中桶１４を収納するため、内周壁部２５は中桶１４を包囲し、底壁部２５ｂは平坦面であって中桶を下方から支持する。便器本体１２の上縁から底壁部２５ｂまでの凹部深さ、すなわち内周壁部２５の高さ、は、中桶１４の高さ寸法と略一致する。便器本体１２の上部には、便座本体１４が着脱可能に取り付けられる。これにより、便器本体１２は便座本体１３を下方から支持する。
【００２３】
便座本体１３は、便座本体１３の中央に形成された中央開口Ｓを包囲する便座部２１と、便座部２１の内側縁から中央開口Ｓの外周に沿って垂下する内側壁部２２と、便座部２１の外側縁から垂下する外側壁部２７とを有する。外側壁部２７は便座本体１３の全周に亘って形成され、便器本体１２の外周に形成された段差部２８と係合する。段差部２８は略上方に立ち上がる便器本体１２の外側の壁に形成され、外側壁部２７の厚みと略同一寸法の幅を有する上向きの平面の段差であり、外側壁部２７の下縁と接触する。これにより便座本体１３は便器本体１２にずれないよう支持される。
【００２４】
便座部２１は、図１に示すように平面視Ｏ字状であり中央開口Ｓの全周を包囲する。また図示しない変形例として便座部の前部が切り欠かれた平面視Ｃ字状であってもよい。便座部２１は、幅方向両側部に水平面２１ｈをそれぞれ有し、前部に水平面２１ｆを有し、幅方向両側部から前部までが共通する水平面にされ、後部がこの水平面よりも隆起する。つまり便座部２１の後部には、上方に隆起した隆起部２６が形成される。隆起部２６は中央開口Ｓの外周に沿うよう円弧状に湾曲して幅方向に延びる。そして幅方向両端部が便座部２１の両側部の水平面２１ｈと滑らかに連続する。隆起部２６は中央開口Ｓから離れた位置で隆起形状にされ、隆起部２６のうち中央開口Ｓと接する内側縁は水平に延び、便座部２１の前部の水平面２１ｆと、便座部２１の両側部の水平面２１ｈと同じ高さ位置に形成される。
【００２５】
幼児が幼児用便器１１にまたがって腰を下ろすと、便座部２１の水平面２１ｈは幼児の臀部および太腿部を支持する。また隆起部２６は幼児の臀部を中央開口Ｓに位置決めする。
【００２６】
内側壁部２２は、便座部２１と一体結合し、便座部内側縁の全周に亘って設けられる。内側壁部２２は、中央開口Ｓの全周を包囲する両端開口の筒状体であり、外側壁部２７よりもさらに下方へ垂下する形状にされる。図３に示すように、内側壁部２２の内側には中桶１４が挿し込まれる。
【００２７】
便座本体１３の前部には、便座部２１の内側縁から立ち上がるドーム部２３が設けられる。ドーム部２３は後述する金隠し１５を覆うものであって、便座部２１および内側壁部２２と一体結合する。便座本体１３は単独で大人用洋式便器の便座の上に載置可能である。このときドーム部２３は、金隠しとして機能する。
【００２８】
中桶１４は、底壁部１４ａ、底壁部１４ａの外周から全周に亘って立ち上がる周壁部１４ｂと、周壁部外周面から外方へ突出する持ち手２４とを有する容器であり、便座本体１３の中央開口Ｓを通過する幼児の排泄物を受け入れる。底壁部１４ａは平坦な板材であり、底壁部１４ａの外縁に周壁部１４ｂの下縁が一体結合する。周壁部１４ｂの上縁は、一部において上方へ突出し、他の一部において下方に切り欠いた形状ではなく、共通する仮想平面に略一致する。そして周壁部１４ｂの上縁は、便座本体１３の下方から、便座本体１３の内側壁部２２の内側になる中央開口Ｓに挿し込まれる。
【００２９】
持ち手２４は周壁部１４ｂの上縁よりも下方の周壁部外周面から突出し、水平方向に延びる根元部２４ｃと、根元部２４ｃの先端で分岐して上方および下方へそれぞれ延びる上方分岐部２４ｕと、下方分岐部２４ｄとで構成される。上方分岐部２４ｕおよび下方分岐部２４ｄは、上下方向に共通して延びる１本の棒状部分になる。したがって持ち手２４は大人の手で握り易い形状である。持ち手２４は周壁部１４ｂと一体結合する。
【００３０】
周壁部１４ｂの上縁は、高さが揃うよう水平に形成され、便座本体１３の中央開口Ｓに挿し込まれた状態で、便座部２１の内側縁に沿って延びる。なお図１および図３に示すように、周壁部１４ｂの上縁と便座部２１の内側縁との間には僅かな隙間が介在してもよい。
【００３１】
便器本体１２は、便座本体１３を下方から支持するとともに、便器本体の凹部に中桶１４を収容する。これにより便座本体１３と中桶１４の高さ関係が既定され、上方へ立ち上がる中桶１４の周壁部１４ｂの上縁が下方へ垂下する便座本体１３の内側壁部２２と重なる。そして周壁部１４ｂの上縁の高さ位置と便座部２１の高さ位置は略一致するが、厳密にいえば周壁部１４ｂの上縁は便座部２１の水平面２１ｈ，２１ｆよりも僅かに下方に配置される。
【００３２】
幼児が便座部２１にまたがって座り排便および排尿すると、排泄物が落下して便座本体１３の中央開口Ｓを通過し、中桶１４の内部に受け入れられる。
【００３３】
金隠し１５は、中桶１４の前方に着脱可能に取り付けられる部材であり、図１に示す平面視において略半円形状である。金隠し１５の下半部は、金隠しの下側部分を含み、平面視において略半円弧の断面形状であって周壁部１４ｂの外周面に沿うよう接触する。金隠し１５の上半部は、金隠しの上側部分を含み、周壁部１４ｂの上縁および便座部２１から立ち上がり、図３に示すように上方に向かうにつれて中央開口Ｓの前方領域に被さるドーム形状に形成される。そして半球を２等分した形状に略等しい金隠し１５の上半部は、図４に示すように略半円形状の開口を形成する。幼児が便座部２１にまたがって座り金隠し１５の上半部と向き合うと、幼児の腹部から鼠蹊部までが金隠し１５に覆われる。
【００３４】
便器本体１２、便座本体１３、中桶１４、および金隠し１５は図３に示すように組み立てられて幼児用便器１１を構成する。そして中桶１４の持ち手２４の根元部２４ｃは、便座本体１３の内側壁２２の下縁と当接する。
【００３５】
次に幼児用便器１１の組立手順につき説明する。
【００３６】
幼児用便器１１は図５〜図８の断面図に示す順で、組み立てられていく。まず中桶１４の内側面には、図５に示すように上部開口と底部を有する袋体である汚物処理シート３１が被せられる。汚物処理シート３１は図９の斜視図に示す形状であり、図１０の斜視図に示すように上部開口を外方に折り返され、この折り返し部分３２が周壁部１４ｂの上縁を覆うように、中桶１４に装着される。汚物処理シート３１は中桶１４の周壁部１４ｂの内周面および底壁部１４ａの上面を覆う。
【００３７】
ここで付言すると、汚物処理シート３１は水溶性の紙製である。したがって幼児用便器１１の使用によって汚物処理シート３１上に幼児の排泄物が放出されると、持ち手２４を握り幼児用便器１１から中桶１４を取り出し、持ち手２４を握ったまま中桶１４を運搬し、排泄物を汚物処理シート３１とともに大人用便器に投入するとよい。
【００３８】
これにより幼児の排泄物を住宅に備え付けられた大人用水洗便器に流して簡単に処理することができ、しかも中桶１４には幼児の排泄物がこびりつかず、中桶１４の洗浄を軽減することができる。なお幼児用便器１１は汚物処理シートを装着しなくても使用が可能である。
【００３９】
汚物処理シート３１は１回のみ使用される使い捨てであり、幼児用便器１１の使用後に新しいきれいな汚物処理シート３１を中桶１４の内側面に再び被せるとよい。
【００４０】
汚物処理シート３１が防水性のフィルム素材で形成される場合、幼児の排泄物を大人用水洗便器に流して処理することができないが、中桶１４を衛生的に保つことができるという利点がある。
【００４１】
説明を幼児用便器１１の組立手順に戻すと、次に中桶１４には、図６に示すように金隠し１５が取り付けられる。金隠し１５の下縁は持ち手２４の根元部２４ｃと当接する。また金隠し１５の内側面には、水平方向に延びる突条１５ｄが形成されており、突条１５ｄが中桶１４の上縁と係合する。これにより金隠し１５は中桶１４の前部に取り付けられる。
【００４２】
次に中桶１４および金隠し１５は、図７に示すように便器本体１２の凹部に収納される。なお図には示さなかったが、中桶１４の底壁部１４ａと凹部の底壁部２５ｂに、互いに係合する位置決め手段を設けておいてもよい。これにより、中桶１４は底壁部２５ｂ上で容易に位置決めされる。
【００４３】
次に便器本体１２には、図８に示すように便座本体１３が取り付けられる。
【００４４】
便器本体１２の上方から便座本体１３を被せると、中桶１４の周壁部１４ｂの上縁は、便座本体１３の内側壁部２２の下方から、内側壁部２２の内側に上向きに挿し込まれる。これにより、汚物処理シート３１の折り返し部３２が内側壁部２２に押し下げられ、折り返し部３２のめくれ上がりが防止される。また、便座本体１３の内側壁部２２の下縁は持ち手２４の根元部２４ｃの上側と当接する。また金隠し１５の下縁も持ち手２４の根元部２４ｃの上側と当接する。これにより中桶１４は内側壁部２２の内側に安定して保持される。そして内側壁部２２の下縁および金隠し１５の下縁は、中桶１４の周壁部１４ｂの上縁と、根元部２４ｃと、上方分岐部２４ｕによって囲まれた領域に位置する。便座本体１３の取り付けによって、中桶１４は便座本体１３の中央開口Ｓに位置決めされる。また金隠し１５は中桶１４の前部に位置決めされる。
【００４５】
また金隠し１５の上半部は前方から便座本体１３のドーム部２３に覆われ、金隠し１５の下半部は前方から便座本体１３の内側壁部２２に覆われる。ドーム部２３および内側壁部２２が金隠し１５を中桶１４に向けて付勢することにより、金隠し１５と中桶１４との密着度が良くなる。金隠し１５と中桶１４の間に介在する汚物処理シートの折り返し部３２は、金隠し１５と中桶１４の隙間を埋めるよう機能する。
【００４６】
便器本体１２によって支持される便座本体１３および中桶１４は、中桶１４の周壁部１４ｂの上縁が便座部２１から突出しないような高さ位置にされる。すなわち中桶１４の上縁は、全周に亘り、便座部２１の水平面２１ｆ，２１ｈと略同じ高さ位置になる。そして、周壁部１４ｂの外周面は隙間を介して内側壁部２２の内周面に沿う。
【００４７】
汚物処理シート３１の折り返し部分３２は中桶１４の周壁部１４ｂの上縁と便座本体１３の内側壁部２２の間に挟み込まれ、これにより汚物処理シート３１は中桶１４に固定される。また内側壁部２２と中桶１４の間に介在する汚物処理シートの折り返し部３２は、内側壁部２２と周壁部１４ｂの隙間を埋めるよう機能する。
【００４８】
これまでに説明した手順で幼児用便器１１の組立が完成する。中桶１４内の排泄物を処分するために幼児用便器１１を分解する場合は、上述した手順と逆の手順を行うと良い。
【００４９】
ところで本実施例の幼児用便器１１によれば、中桶１４が便座本体１３の内側壁部２２の内側に挿し込まれる周壁部１４ｂを有することから、便座本体１３の内側壁部２２が排泄物で汚れることがなく、便座本体１３の中央開口Ｓを通過して落下する幼児の排泄物を衛生的に受け止めることができる。また便座本体１３の内側壁部２２が排泄物で汚れないため便座本体１３の洗浄が軽減される。また中桶１４が便座本体１３の内側壁部２２と当接する持ち手２４を有することから、中桶１４は中央開口Ｓに安定して保持される。さらに持ち手２４を握って便器本体１２から中桶１４を容易に取り出し、持ち手２４を握ったまま中桶１４を容易かつ衛生的に運搬することができる。しかも便座本体１３は単独で大人用洋式便器の上に載置して使用することができ、幼児用便座本体として利用できる。
【００５０】
また本実施例によれば、中桶１４の周壁部１４ｂの上縁は、共通する仮想平面に略一致するよう水平に形成されることから、汚物処理シート３１の折り返し部３２を容易に係止させることができる。
【００５１】
そして、中桶１４の周壁部１４ｂが便座本体１３の中央開口Ｓに挿し込まれた状態で、周壁部１４ｂの上縁の高さ位置が便座部２１の水平面２１ｆ，２１ｈの高さ位置と略一致することから、便座本体１３の内側壁部２２が排泄物で汚れることがなく、便座本体１３が衛生的に保たれる。理解を容易にするため、中桶１４の周壁部１４ｂと便座本体１３の内側壁部２２の位置関係を、図１１の縦断面図に示す。
【００５２】
厳密にいえば、周壁部１４ｂの上縁の高さ位置は、便座部２１の水平面２１ｆ，２１ｈの高さ位置おりも僅かに低くされる、具体的には２〜９ｍｍ低い。これにより、便座部２１には段差が生じず、幼児にとって座り心地が向上する。
【００５３】
また本実施例によれば、幼児用便器１１が中桶１４の周壁部１４ｂに取り付けられて便座本体１３の便座部２１よりも上方へ突出する金隠し１５をさらに備えることから、幼児の小便が便座部２１の前方へ飛び散ることを防止することができる。しかも金隠し１５は、中桶１４の周壁部１４ｂの外周面に着脱可能に取り付けられることから、金隠し１５の下半部を衛生的に保つことができる。また金隠し１５を中桶１４から取り外し中桶１４のみあるいは金隠し１５のみを効率的に洗浄、掃除することができる。
【００５４】
また本実施例によれば、中桶１４に汚物処理シート３１を装着することにより、中桶１４に排泄物がこびりつくことを防止することができる。そして、中桶１４を効率良く洗浄、掃除することができる。
【００５５】
本実施例では、汚物処理シート３１に代えて、底壁部１４ａの上面のみを覆うシートを中桶１４の内部に敷いてもよい。かかる変形例であっても、底壁部１４ａに排泄物がこびりつくことを防止することが可能となり、中桶１４内の排泄物を住宅に備え付けられた大人用水洗便器に簡単に投入して処理することができる。あるいは、汚物処理シート３１に代えて、底壁部１４ａの上面に幼児用おむつあるいはペットシートを広げてセットしてもよい。
【００５６】
図示しない他の実施例として、中桶１４の内部空間を前方と後方に区切る区切り壁を設けてもよい。これにより、中桶１４の前方空間に小便を受け入れ、中桶１４の後方空間に大便を受け入れることが可能となり、中桶内側面の汚れ面積を一層小さくすることができる。
【００５７】
図示しないさらに他の実施例として、便器本体１２の内部に使い捨てシートを貯蔵しておき、幼児用便器１１を使用するたびに使い捨てシートを便器本体１２から引き出して中桶１４の内周面を覆うとよい。例えば便器本体１２の底壁部２５ｂおよび中桶１４の底壁部１４ａに貫通孔をそれぞれ設け、底壁部２５ｂの貫通孔と底壁部１４ａの貫通孔が共通する貫通孔を構成するようにする。底壁部２５ｂよりも下方の便器本体１２内に、直列的に連続して１つ１つが切り離し可能な袋状の使い捨てシートの綴りを、収容しておく。そして、上述した使い捨てシートをこれらの共通貫通孔から上方へ引っ張り出して広げ、中桶１４の内周面に被せてもよい。これにより中桶１４の内周面を新しい使い捨てシートで速やかに効率よく覆うことができる。
【００５８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。図示しない変形例として、便器本体は複数本のフレームで構成される枠体であってもよい。あるいは便器本体に代えて、中桶に転倒防止用の脚部を設け、中桶の周壁部の外周に突起を形成し、かかる突起が内側壁部の下縁と係合することによって、便座本体を支持してもよい。
【産業上の利用可能性】
【００５９】
この発明になる幼児用便器は、育児器具において有利に利用される。
【符号の説明】
【００６０】
１１  幼児用便器、１２  便器本体、１３  便座本体、１４  中桶、１４ａ  底壁部、１４ｂ  周壁部、１５  金隠し、２１  便座部、２１ｈ，２１ｆ  水平面、２２  内側壁部、２３  ドーム部、２４  持ち手、２５  内周壁部、２５ｂ  底壁部、２６  隆起部、２７  外周壁、２８  段差部、３１  汚物処理シート。
【図１】
2013009720.tif 000003
【図２】
2013009720.tif 000004
【図３】
2013009720.tif 000005
【図４】
2013009720.tif 000006
【図５】
2013009720.tif 000007
【図６】
2013009720.tif 000008
【図７】
2013009720.tif 000009
【図８】
2013009720.tif 000010
【図９】
2013009720.tif 000011
【図１０】
2013009720.tif 000012
【図１１】
2013009720.tif 000013